(57)【要約】【課題】フロントパネルとシャーシの隙間を無くし、装置内の動作音を漏れさせることなく、静粛性があり、しかも衝撃が加わったとしても高速回転のディスクが飛び出すことの心配をなくした引き出しタイプのローディング機構を提供することにある。【解決手段】本発明は、ディスクトレーを光ディスク装置の本体部であるボトムシャーシに対して出し入れする光ディスク装置のローディング機構であって、前記ディスクトレー１と前記ボトムシャーシ４との間において一方に設けられたモータ１２に連結されて回転駆動されるウォーム１１と他方に設けられたラック１３とを噛み合せることによって、前記ディスクトレー１を前記ボトムシャーシ４に対して引き込ませるように構成したことを特徴とする。【選択図】  図２
2005050401.tif 000002
【特許請求の範囲】
【請求項１】
ディスクトレーを光ディスク装置の本体部であるボトムシャーシに対して出し入れする光ディスク装置のローディング機構であって、
前記ディスクトレーと前記ボトムシャーシとの間において一方に設けられたモータに連結されて回転駆動されるウォームと他方に設けられたラックとを噛み合せることによって、前記ディスクトレーを前記ボトムシャーシに対して引き込ませるように構成したことを特徴とする光ディスク装置のローディング機構。
【請求項２】
前記モータに連結されて回転駆動されるウォームを前記ディスクトレー側に設け、前記ラックを前記ボトムシャーシ側に設けたことを特徴とする請求項１記載の光ディスク装置のローディング機構。
【請求項３】
前記ディスクトレーに対して前記ボトムシャーシから排出する方向にスプリング力を付与するように構成したことを特徴とする請求項１又は２記載の光ディスク装置のローディング機構。
【請求項４】
前記ディスクトレーと前記ボトムシャーシとの間において、前記モータの回転を開始させる信号を出力する第１のスイッチと、前記モータの回転を停止させる信号を出力する第２のスイッチとを設けたことを特徴とする請求項１、２又は３記載の光ディスク装置のローディング機構。
【発明の詳細な説明】
【０００１】
【発明の属する技術分野】
本発明は、光ディスクドライブ、特にスリムドライブ等の引き出しタイプのドライブ機構である光ディスク装置のローディング機構に関する。
【０００２】
【従来の技術】
ローディング機構におけるイジェクト機構の従来技術１としては、図７および図８に示すように構成されていた。即ち、トレー１０１に光ディスク等を載置し、該載置されたトレー１０１をばね力に抗して押し込むことによってボトムシャーシ１０２内にセットされる。その際、スプリング１０３でＡ点を回転中心にして時計方向に回転力が付与された回動部材１０４のフック部１０５の背のカム斜面をボトムシャーシ１０２の内側に固定された爪１０６の背が押してその後フック部１０５がラッチ１０６に勘合してトレー１０１はボトムシャーシ１０２内にセットされることになる。そして、トレー１０１をイジェクトする際は、イジェクト釦（図示せず）を操作することによって、ソレノイド１０７のａ方向の動力によって回動部材１０４をスプリング１０３のばね力に抗してＡ点を回転中心にして反時計方向（ｂ回転方向）に回動させることによってフック部１０５が爪１０６から外され、トレー１０１はばね力によりＺ方向にイジェクトされることになる。即ち、回転部材１０４のフック部１０５と爪１０６との間でラッチ機構が構成される。なお、１０８はトレーの前面パネルである。
【０００３】
この他、イジェクト機構の従来技術２、３としては、特開２００１−３４４８６４号公報、特開平１１−１５４３６７号公報が知られている。従来技術２には、ローディングモータに取り付けたウォームギアにカム部を有する歯車を噛み合せて、スプリング式のフック機構に回転力を与えるローディング機構が記載されている。また、従来技術３には、ローディングモータに取り付けたウォームギアと、歯車列と、スライドラックを噛み合せたローディング機構が記載されている。
【０００４】
【特許文献１】
特開２００１−３４４８６４号公報
【特許文献２】
特開平１１−１５４３６７号公報
【０００５】
【発明が解決しようとする課題】
しかしながら、従来技術１〜３においては、ローディングする際、トレーのオーバーストローク動作によって、フックをラッチに係合するため、完了（係合）後、オーバーストロークの戻り分が前面パネルとシャーシ（本体）の隙間（ΔＧ２）となる。この隙間からは、装置内部の動作音、ディスクの回転音がもれ出るという不具合がある。また、この隙間から、埃等の侵入があり、レンズを汚す心配がある。
【０００６】
本発明の目的は、この隙間をなくした引き出しタイプの光ディスク装置のローディング機構を提供することにある。
【０００７】
また、従来技術１〜３の何れにおいても、イジェクトする際、ソレノイドやモータの動力によって回動部材をスプリングの力に抗して回動させて回動部材に設けられたフック部をラッチから外すように構成されているため、携帯用の光ディスク装置の普及に伴って、落下等で衝撃が加わったとき、フック部のロックが外されて高速回転のディスクが飛び出す心配を有していた。
【０００８】
本発明の他の目的は、このような課題を解決すべく、衝撃が加わったとしても高速回転のディスクが飛び出すことの心配をなくした引き出しタイプの光ディスク装置のローディング機構を提供することにある。
【０００９】
【課題を解決するための手段】
上記目的を達成するために、本発明は、ウォーム機構により、ラックとウォームを勘合、離脱自由な構成とし、ディスクトレーを引き込む機能を有している。
【００１０】
また、本発明は、ディスクトレーをディスク装置の本体部であるボトムシャーシに対して出し入れする光ディスク装置のローディング機構であって、前記ディスクトレーと前記ボトムシャーシとの間において一方に設けられたモータに連結されて回転駆動されるウォームと他方に設けられたラックとを噛み合せることによって、前記ディスクトレーを前記ボトムシャーシに対して引き込ませるように構成したことを特徴とする。
【００１１】
また、本発明は、前記ディスクトレーに対して前記ボトムシャーシから排出する方向にスプリング力を付与するように構成したことを特徴とする。
【００１２】
また、本発明は、前記ディスクトレーと前記ボトムシャーシとの間において、前記モータの回転を開始させる信号を出力する第１のスイッチと、前記モータの回転を停止させる信号を出力する第２のスイッチとを設けたことを特徴とする。
【００１３】
以上説明したように、上記構成によれば、ウォーム機構で引き込む構成なので、検出スイッチの位置の最適化により、フロントパネル（前面パネル）とシャーシの隙間を無くすことができ、その結果ディスクの回転音や、メカの動作音が漏れ出ることが防げる。また埃等の侵入で、レンズを汚す心配が軽減される。
【００１４】
また、上記構成によれば、ウォーム機構によるロックの確実さと、ローディングの迅速さを組み合わせたスリムドライブ等の引き出しタイプのローディング機構を実現することが可能となる。
【００１５】
【発明の実施の形態】
本発明に係る光ディスク装置のローディング機構の実施の形態を図面を用いて説明する。図１は、スリムドライブ等の引き出しタイプの光ドライブ機構の一実施の形態を示すディスクセット側から見た外観斜視図である。図２は、本発明に係るスリムドライブ等の引き出しタイプの光ディスク装置のローディング機構の一実施例を示す概略構成拡大図である。図３（ａ）はトレーがロック状態からイジェクト動作になる状態を示す図であり、図３（ｂ）はトレーがローディング動作に入る状態を示す図である。図４は、スリムドライブ等の引き出しタイプの光ドライブ機構の一実施の形態を示す裏面側から見た外観斜視図である。図５は、本発明に係るスリムドライブ等の引き出しタイプの光ディスク装置のローディング機構の一実施例を示す裏面側から見た拡大図で、イジェクト（排出）状態を示す図である。図６は、本発明に係るスリムドライブ等の引き出しタイプの光ディスク装置のローディング機構の一実施例を示す裏面側から見た拡大図で、ローディング完了直前の状態を示す図である。
【００１６】
パーソナルコンピュータ（以下ＰＣと称す）に必要とされる記憶容量が増大すると共に、情報の格納手段としての媒体は、光ディスクへと進んでいる。一方、携帯性と省スペース性に優れたノート型ＰＣへの普及が進んでいる。このような背景から、ノート型ＰＣに搭載する光ディスク装置の薄肉化が求められている。
このようなノート型ＰＣのディスク収納機構（ローディング機構）としては、ディスク（図示せず）をディスクトレー１に載置し、光ディスク装置の前面パネル２に設けられた排出釦（イジェクト釦）３の操作によってディスクトレー１を光ディスク装置の本体部（ボトムシャーシ）４から出し入れを行っている。
【００１７】
ディスクトレー１には、ディスクを保持して高速回転させるターンテーブル一体化ディスクモータ５と光ヘッド６とが取付けられて構成される。そして、光ヘッド６により、ディスクに情報を記録したり、ディスクに記録された情報を再生したりすることが可能となる。
【００１８】
そして、ウォーム１１を回転させるためのモータ（例えばパルスモータによって構成される。）１２は、図１に示すディスクトレー１の例えば右前のコーナ部の裏面（図５及び図６に示す位置）に固定して設けられる。そして、ウォーム１１の両端は、ラック１３が噛み合うことができるように、ディスクテレー１の裏面に回転自在に支持される。上記ウォーム１１に噛み合うラック１３は、ボトムシャーシ４の例えば右側壁に設けられる。即ち、図５に示すように、ボトムシャーシ４の例えば右側部に固定されたラック１３とディスクトレー１のコーナ部の裏面に固定されたモータ１２のウォーム１１とは、係合自在に配置されている。
【００１９】
更に、図示するように歯状のラック１３は、ボトムシャーシ４に設けられた僅かに変位する板ばね（図示せず）に取付けてウォーム１１に押し付けるように構成してもよい。このように構成することによってラック１３をウォーム１１に対してバックラッシュのない状態で噛み合せる（勘合させる）ことが可能となる。
【００２０】
ディスクトレー１に設けられた作動子ＯＰ１は、ローディング動作の開始信号を得るためのスイッチＳＷ１を作動させるものである。このようにディスクトレー１を押し込むことによって作動子ＯＰ１がスイッチＳＷ１を作動させることによって、スイッチＳＷ１からは、モータ１２を回転開始させてラック１３にウォーム１１を噛み合せてローディング動作を開始する信号を得ることができる。更に、ディスクトレー１に設けられた作動子ＯＰ２は、ローディング動作の終了信号を得るためのスイッチＳＷ２を作動させるものである。このようにディスクトレー１がローデイング動作を終了して前面パネル２がボトムシャーシ４の前面に当接する瞬間に作動子ＯＰ２がスイッチＳＷ２を作動させることによって、スイッチＳＷ２からはモータ１２を回転停止させてローディング動作を終了させる信号を得ることができる。
【００２１】
更に、ディスクトレー１を押し込む際、押し込む感触が得られるように、ディスクトレー１はスプリング（図示せず）でＺ方向に常に弱い力が加えられるよう構成する。
【００２２】
上記構成により、ローディングする場合には、上記スプリングの弱い力に抗して、手動にてディスクトレー１を押し込む。図３（ｂ）に示すように、途中までディスクトレー１を手動で押し込むと、ディスクトレー１に設けられた作動子ＯＰ１がスイッチＳＷ１を作動させ、スイッチＳＷ１から得られる開始信号に基いて駆動回路（図示せず）はモータ１２に電流を流し、ｄ方向に回転開始することになり、ラック１３がウォーム１１に噛み合うようになり、ウォーム１１の回転によってディスクトレー１が自動的にｇ方向に引き込まれることになる。そして、ディスクトレー１が最深部まで引き込まれて到達すると、作動子ＯＰ２がスイッチＳＷ２を作動させ、スイッチＳＷ２から得られる終了信号に基いて駆動回路（図示せず）はモータ１２に流す電流の供給を停止してウォーム１１の回転を停止し、図２に示す前面パネル２をボトムシャーシ４の前面に当接させた状態にして密閉した状態が得られる。図６は、ローディング完了直前の状態を示す。このように、トレー開閉検出スイッチ（図２に示すＳＷ２）の位置を最適化することにより、ローディングが完了した時点において、フロントパネル（前面パネル）２とボトムシャーシ４との隙間ΔＧ１を無くす（“０”にする）ことができる。
その結果、ディスクの回転音や、メカの動作音が漏れ出ることが防ぐことができ、しかも埃等のボトムシャーシ４内への侵入で、レンズを汚す心配を軽減することが可能となる。
【００２３】
イジェクトする場合には、イジェクト釦３から得られる信号に基いて駆動回路（図示せず）はモータ１２に電流を流し、図３（ａ）に示すように、ウォーム１１をｃ方向に回転させることによって、ウォーム１１に勘合しているラック１３の働きにより、ディスクトレー１はｆ方向に引き出される。そして、ウォーム１１が終わりになると、ディスクトレー１はスプリングの弱い力によって開放されて排出されることになる。このとき、作動子ＯＰ１がスイッチＳＷ１を作動することによって、スイッチＳＷ１から得られる信号に基いて駆動回路は、モータ１２に供給する電流を停止してモータ１２の回転を停止する。
【００２４】
以上説明した実施例の場合、モータ１２及び該モータ１２の出力軸に連結されるウォーム１１をディスクトレー１側に設け、ラック１３をボトムシャーシ４側に設けたが、モータ１２及び該モータ１２の出力軸に連結されるウォーム１１をディスクトレー１の裏面のボトムシャーシ４側に設け、ラック１３をディスクトレー１の裏面に設けてもよい。
【００２５】
以上説明したように、上記構成によれば、ディスクトレー１がローディング動作終了後、光ドライブ機構に衝撃が加わったとしても、ウォーム１１はラック１３と噛み合った状態であるので、ターンテーブル一体化ディスクモータ５によって高速回転しているディスクが飛び出すことを防止することが可能となり、安全性の面で優れた効果を得ることができる。
【００２６】
【発明の効果】
本発明によれば、ウォーム機構によるロックの確実さと、ローディングの迅速さを組み合わせたスリムドライブ等の引き出しタイプのローディング機構を実現することが可能となる。
【００２７】
また、本発明によれば、ウォーム機構で引き込む構成なので、検出スイッチの位置の最適化により、フロントパネルとシャーシの隙間を無くすことができ、その結果ディスクの回転音や、メカの動作音が漏れ出ることを防止でき、しかも埃等の侵入で、レンズを汚す心配を軽減することが可能となる。
【図面の簡単な説明】
【図１】本発明に係るスリムドライブ等の引き出しタイプの光ドライブ機構の一実施の形態を示すディスクをセットする側から見た外観斜視図である。
【図２】本発明に係るスリムドライブ等の引き出しタイプの光ディスク装置のローディング機構の一実施例を示す概略構成拡大図である。
【図３】図２に示すローディング機構の一実施例を示す概略構成拡大図で、（ａ）はトレーがロック状態からイジェクト動作になる状態を示す図であり、（ｂ）はトレーがローディング動作に入る状態を示す図である。
【図４】本発明に係るスリムドライブ等の引き出しタイプの光ドライブ機構の一実施の形態を示す裏面側から見た外観斜視図である。
【図５】本発明に係るスリムドライブ等の引き出しタイプの光ディスク装置のローディング機構の一実施例を示す裏面側から見た拡大図で、イジェクト（排出）状態を示す図である。
【図６】本発明に係るスリムドライブ等の引き出しタイプの光ディスク装置のローディング機構の一実施例を示す裏面側から見た拡大図で、ローディング完了直前の状態を示す図である。
【図７】従来のローディング機構を示す図である。
【図８】従来のローディング機構を備えたトレーの裏面側から見た拡大図である。
【符号の説明】
１…ディスクトレー、２…前面パネル、３…イジェクト釦（排出釦）、４…ボトムシャーシ（本体部）、５…ターンテーブル一体化ディスクモータ、６…光ヘッド、１１…ウォーム、１２…モータ、１３…ラック、ＯＰ１、ＯＰ２…作動子、ＳＷ１、ＳＷ２…スイッチ。
【図１】
2005050401.tif 000003
【図２】
2005050401.tif 000004
【図３】
2005050401.tif 000005
【図４】
2005050401.tif 000006
【図５】
2005050401.tif 000007
【図６】
2005050401.tif 000008
【図７】
2005050401.tif 000009
【図８】
2005050401.tif 000010